(57)【要約】  本発明は、ティーバッグ（１）の抽出状態表示機能付きティーバッグのひも（３）に関するもので、茶またはコーヒーなどの内容物が入っているティーバッグ（１）と、該ティーバッグ（１）に連結されたティーバッグのひも（３）と、該ティーバッグのひも（３）に連結された取っ手（２）と、から構成された通常のティーバッグ製品において、  ティーバッグ（１）の抽出された水（７）と反応して色変化を起こす化学物質を処理してなる色変化部（４）を備えることを特徴とし、  前記色変化部（４）は、化学物質の処理された始点と終点を表示する色変化開始線（９）及び色変化終了線（１０）と、色変化部（４）の中間部位に形成され、適切なティーバッグの抽出時点を表示する表示部と、を備えてなることを特徴とし、  前記色変化部（４）は、一側上部に、ティーバッグ（１）が最適に抽出された濃度における色変化部（４）の変化した色を表示する色変化比較部（８）を備えることを特徴とする。【選択図】図１
2009539703.tif 000002
【特許請求の範囲】
【請求項１】
茶またはコーヒーなどの内容物が入っているティーバッグ（１）と、該ティーバッグ（１）に連結されたティーバッグのひも（３）と、該ティーバッグのひも（３）に連結された取っ手（２）と、から構成された通常のティーバッグ製品において、
ティーバッグ（１）の抽出された水（７）と反応して色変化を起こす化学物質を処理してなる色変化部（４）を備えることを特徴とする、ティーバッグの抽出状態表示機能付きティーバッグのひも（３）。
【請求項２】
前記色変化部（４）は、化学物質の処理された始点と終点を表示する色変化開始線（９）及び色変化終了線（１０）と、色変化部（４）の中間部位に形成され、適切なティーバッグの抽出時点を表示する表示部と、を備えてなることを特徴とする、請求項１に記載のティーバッグの抽出状態表示機能付きティーバッグのひも（３）。
【請求項３】
前記色変化部（４）は、一側上部に、ティーバッグ（１）が最適に抽出された濃度における色変化部（４）の変化した色を表示する色変化比較部（８）を備えることを特徴とする、請求項１に記載のティーバッグの抽出状態表示機能付きティーバッグのひも（３）。
【発明の詳細な説明】
【技術分野】
【０００１】
本発明は、使用者がティーバッグ製品の使用のためにティーバッグを水中に浸すと、その抽出された水がティーバッグと連結されたティーバッグのひもに吸収され、ティーバッグのひもに設けられた色変化部の化学物質と反応しながら、色変化部の色変化が長くなったり濃くなる、ティーバッグの抽出状態表示機能付きティーバッグのひもに関する。
【背景技術】
【０００２】
一般に、通常のティーバッグ製品は、茶またはコーヒーのような内容物が入れられるティーバッグ（１）と、該ティーバッグ（１）に連結されるティーバッグのひも（３）と、該ティーバッグのひも（３）に連結される取っ手（２）と、から構成されている。
【０００３】
本発明は、テーバッグの抽出状態表示機能付きテーバッグのひもに関する。
【発明の開示】
【発明が解決しようとする課題】
【０００４】
一般に、ティーバッグ製品の構造は、茶またはコーヒーのような内容物が入れられるティーバッグと、該ティーバッグに連結されるティーバッグのひもと、該ティーバッグのひもに連結される取っ手と、からなっている。
【０００５】
このようなティーバッグを水の入っているカップに入れると、その内容物の津液が水中に抽出され、津液の抽出された水を使用者が飲む。この時、抽出された水の味と香りは、ティーバッグが水中にどれぐらいの時間抽出されたかによる。しかしながら、これまでのティーバッグ製品はいずれも、いつ水中からティーバッグを取り出せばいいかを視覚的に使用者に知らせる機能を備えていないという問題があった。すなわち、使用者は、ティーバッグの抽出される水の濃度を最適に調節して飲むことができなかった。
【課題を解決するための手段】
【０００６】
本発明は上記の問題点を解決するためのもので、その目的は、使用者がティーバッグ製品の使用のためにティーバッグを水中に浸すと、その抽出された水がティーバッグと連結されたティーバッグのひもに吸収され、ティーバッグのひもに設けられた色変化部の化学物質と反応しながら、色変化部の色変化が長くなったり濃くなる、ティーバッグの抽出状態表示機能付きティーバッグのひもを提供することにある。
【０００７】
上記の目的を達成するために、本発明の第１方法は、水に浸されたティーバッグの抽出時間を表示する方法で、使用者がティーバッグを水中に浸すと、その抽出された水がティーバッグと連結されたティーバッグのひもに吸収され、色変化部の化学物質と反応しながら、色変化部の色変化の長さが長くなるようにした、ティーバッグの抽出状態表示機能付きティーバッグのひもを提供する。
【０００８】
本発明の第２方法は、水に浸されたティーバッグの抽出濃度を表示する方法で、使用者がティーバッグを水中に浸すと、その抽出された水がティーバッグと連結されたティーバッグのひもに吸収され、色変化部の化学物質と反応しながら、色変化部の色変化度合が強くなるようにした、ティーバッグの抽出状態表示機能付きティーバッグのひもを提供する。
【０００９】
これにより、使用者は、ティーバッグの抽出時間及び濃度を視覚的に明確に認識することができる。
【発明の効果】
【００１０】
したがって、本発明は、どの時点でティーバッグ（１）を水（７）から取り出せば最適の香味を楽しめるかを使用者に視覚的に知らせ、使用者がティーバッグ製品の最適の香味を楽しめるようにするとともに使用者の興味を呼び起こし、且つ、ティーバッグの抽出状態表示機能を備え、ティーバッグの抽出状態を使用者が便利に認識できるようにする効果を奏する。
【図面の簡単な説明】
【００１１】
【図１】本発明の第１方法によるティーバッグ全体斜視図である。
【図２】本発明の第１方法によるティーバッグを水に浸した例示図である。
【図３】本発明の第１方法によるティーバッグのひもの色変化部における色変化例示図である。
【図４】本発明の第２方法によるティーバッグ全体斜視図である。
【図５】本発明の第２方法によるティーバッグを水に浸した例示図である。
【図６】本発明の第２方法によるティーバッグのひもの色変化部における色変化例示図である。
【００１２】
１      ティーバッグ
２      取っ手
３      ティーバッグのひも
４      色変化部
５      ティーバッグ分離線
６      カップ
７      水
８      色変化比較部
９      色変化開始線
１０    色変化終了線
【発明を実施するための最良の形態】
【００１３】
以下、添付の図１〜図６を参照しつつ、本発明について詳細に説明する。
【００１４】
まず、通常のティーバッグ製品と同様に、本発明は、茶またはコーヒーのような内容物が入れられたティーバッグ（１）と、このティーバッグ（１）に連結されたティーバッグのひも（３）と、ティーバッグのひも（３）に連結された取っ手（２）と、から構成される。
【００１５】
このような本発明の第１方法を示すものであって、図１は、本発明の第１方法によるティーバッグ全体斜視図であり、図２は、本発明の第１方法によるティーバッグを水に浸した例示図であり、図３は、本発明の第１方法によるティーバッグのひもの色変化部における色変化例示図である。
【００１６】
まず、図１は、本発明の第１方法によるティーバッグ全体斜視図であり、図１に示す本発明のティーバッグは、ティーバッグ（１）の抽出された水（７）と反応して色変化を起こす化学物質が処理されてなる色変化部（４）が形成されているティーバッグのひも（３）に特徴があり、この色変化部（４）は、化学物質が処理された始点と終点を表示する開始線（９）及び終了線（１０）と、色変化部（４）の中間部位に形成され、ティーバッグが適切に抽出された時点を表示するティーバッグ分離線（５）とを備えることを特徴とする。
【００１７】
上記のように構成される本発明の第１方法について説明すると、下記の通りである。
【００１８】
使用者がティーバッグ（１）を使用する時には、図２に示すように、ティーバッグ（１）を、水（７）の入っているカップ（６）に浸す。このようにティーバッグ（１）が水（７）に浸されると、ティーバッグ（１）の抽出された水（７）は、ティーバッグ（１）と連結されたティーバッグのひも（３）に吸収され、ティーバッグのひも（３）に沿って拡散される。このように拡散されるティーバッグの抽出された水（７）は、ティーバッグのひも（３）の色変化部（４）に処理された化学物質と反応して色変化を起こし、このような色変化部（４）の色変化の長さは時間の経過とともに長くなる。したかって、ティーバッグの使用者は、色変化部（４）の色変化の長さによってティーバッグ（１）の抽出された時間を視覚的に認識できるようになる。
【００１９】
図３は、本発明の第１方法によるティーバッグのひもの色変化部における色変化例示図である。
【００２０】
図３の（ａ−１）は、本発明の第１方法によるティーバッグ（１）の抽出状態表示機能を備えたティーバッグのひも（３）の色変化部（４）に何らの変化もない基本状態を示す図である。
【００２１】
図３の（ａ−２）は、ティーバッグ（１）が水（７）に浸された後、ティーバッグのひも（３）の色変化部（４）にティーバッグ（１）の抽出された水（７）が吸収され、色変化部（４）の色変化が始まった初期段階を示す図で、ティーバッグのひも（３）の色変化の長さがティーバッグ分離線（５）までは達しておらず、ティーバッグ（１）の内容物が水（７）に十分に滲み出ていない状態を示す。
【００２２】
図３の（ａ−３）は、ティーバッグ（１）が水（７）に浸された後、ティーバッグ（１）の抽出された水（７）がティーバッグ分離線（５）に到達し、ティーバッグのひもの色変化部（４）の色変化の長さがティーバッグ分離線（５）に達した状態を示す。すなわち、このときが、ティーバッグ（１）が最も適切に抽出された時点である。
【００２３】
図３の（ａ−４）は、ティーバッグ（１）が水（７）に浸された後、ティーバッグのひも（３）の色変化部（４）の色変化の長さが、ティーバッグ分離線（５）を行き過ぎた状態を示すもので、これは、ティーバッグ（１）が水（７）に過度に滲み出ていることを示す。
【００２４】
本発明の目的を達成するための第２方法を示すもので、図４は、本発明の第２方法によるティーバッグ全体斜視図であり、図５は、本発明の第２方法によるティーバッグを水に浸した例示図であり、図６は、本発明の第２方法によるティーバッグのひもの色変化部における色変化例示図である。
【００２５】
まず、図４は、本発明の第２方法によるティーバッグ全体斜視図であって、図４に示す本発明のティーバッグは、ティーバッグ（１）の抽出された水（７）と反応して色変化を起こす化学物質が処理されてなる色変化部（４）が形成されているティーバッグのひも（３）に特徴があり、この色変化部（４）は、一側上部に、ティーバッグ（１）が最適に抽出された濃度における色変化部（４）の変化した色を表示する色変化比較部（８）を備える。
【００２６】
上記のように構成される本発明の第２方法について詳細に説明すると、下記の通りである。
【００２７】
使用者がティーバッグ（１）を使用する時には、図５に示すように、ティーバッグ（１）を水（７）の入っているカップ（６）に浸す。このようにティーバッグ（１）が水（７）中に浸されると、ティーバッグ（１）の抽出された水（７）がティーバッグ（１）と連結されたティーバッグのひも（３）に吸収され、ティーバッグのひも（３）に沿って拡散される。このように拡散されるティーバッグ（１）の抽出された水（７）はティーバッグのひも（３）の色変化部（４）に処理された化学物質と反応し色変化を起こし、ティーバッグの抽出された水（７）の濃度が濃くなるにつれてティーバッグのひも（３）の色変化部（４）の色変化がより深まる。したがって、使用者は、色変化部（４）の色変化によってティーバッグ（１）の抽出された水（７）の濃度を視覚的に認識することができる。
【００２８】
図６は、本発明の第２方法によるティーバッグのひも（３）の色変化部（４）における色変化例示図である。
【００２９】
図６の（ｂ−１）は、本発明の第２方法によるティーバッグの抽出状態表示機能を備えたティーバッグのひも（３）の色変化部（４）に何らの変化もない基本状態を示す図である。
【００３０】
図６の（ｂ−２）は、ティーバッグ（１）が水（７）に浸された後、ティーバッグのひも（３）の色変化部（４）にティーバッグ（１）の抽出された水（７）が吸収され、色変化部（４）の色が変化し始まった初期段階を示す図で、ティーバッグのひも（３）の変化した色が色変化比較部（８）よりも薄く、よって、ティーバッグ（１）の内容物が水（７）に十分に滲み出ていない状態を示す。
【００３１】
図６の（ｂ−３）は、色変化部（４）の色が色変化比較部（８）の色と類似になった状態を示す図で、この状態が、ティーバッグ（１）が最適に抽出された濃度である。
【００３２】
このように、本発明は、ティーバッグの抽出された時間や濃度を使用者が視覚的に確認できるようにし、水（７）からティーバッグ（１）を取り出す時点を使用者に知らせる。
【００３３】
上述の如く、使用者がティーバッグ製品を使用する時、本発明は、水（７）からティーバッグ（１）を取り出す時点を使用者に視覚的に知らせ、使用者がディーバッグ製品の最適の香味を楽しめるようにするとともに使用者の興味を呼び起こし、且つ、ティーバッグの抽出状態表示機能を備え、ティーバクの抽出された状態を使用者が便利に認識できるようにする。
【００３４】
（発明の実施の形態）
省略
【産業上の利用可能性】
【００３５】
本発明は、いかなるティーバッグ製品にも用いることが可能である。
【００３６】
（配列表）
省略
【図１】
2009539703.tif 000003
【図２】
2009539703.tif 000004
【図３】
2009539703.tif 000005
【図４】
2009539703.tif 000006
【図５】
2009539703.tif 000007
【図６】
2009539703.tif 000008
【国際調査報告】
2009539703.tif 000009
2009539703.tif 000010